(57)【特許請求の範囲】
【請求項１】
複数の発光素子と、
前記複数の発光素子を構成する各々の発光素子と電気的に接続され、当該発光素子に対する給電経路を形成する電気導体部と、
前記電気導体部とは電気的に分離して設けられ、前記発光素子で発生する熱の放熱経路を形成する熱導体部と、
前記熱導体部に伝達された熱を外部に放出する放熱板と、
前記発光素子からの発光光を通過させる通過面を有し、前記電気導体部および前記熱導体部のそれぞれ一部を含んで当該発光素子を封止する封止部とを備え、
前記電気導体部は、前記封止部から露出した部位が折り曲げられ、
前記熱導体部は、前記封止部から露出した部位が当該封止部の前記通過面側に折り曲げられ、
前記放熱板は、前記熱導体部における前記封止部から露出した部位に接触し且つ当該熱導体部の折り曲げ方向に沿って設けられるとともに、当該封止部の前記通過面側に突出するように配置され、当該封止部と対向する側の面に、前記発光素子からの光を反射する反射面が形成されることを特徴とする発光装置。
【請求項２】
前記放熱板は、前記封止部と前記熱導体部との間に差し込まれることを特徴とする請求項１記載の発光装置。
【請求項３】
前記複数の発光素子が一列に並べられ、
前記封止部は、一列に並ぶ前記複数の発光素子をまとめて封止することを特徴とする請求項１または２記載の発光装置。
【請求項４】
前記電気導体部は外部から給電を受ける複数の電極および当該複数の電極を構成する各々の電極と前記発光素子とを電気的に接続する接続導体を備え、
前記熱導体部は、前記発光素子を保持する保持部および当該保持部に接続され且つ当該発光素子で発生した熱が当該保持部を介して伝達される伝達部を備え、
前記電気導体部では前記電極の一部が前記封止部から露出し、前記熱導体部では前記伝達部の一部が当該封止部から露出し、
前記放熱板は、前記封止部から露出する前記熱導体部における前記伝達部に接触することを特徴とする請求項１乃至３のいずれか１項記載の発光装置。
【請求項５】
前記封止部の一端部側には前記電気導体部を構成する前記電極が並べて配置され、当該封止部の他端側には前記熱導体部を構成する前記伝達部が配置されることを特徴とする請求項４記載の発光装置。
【請求項６】
画像表示を行う表示パネルと、当該表示パネルの背面に設けられ当該表示パネルの背面側から光を照射するバックライトとを含む表示装置であって、
前記バックライトは、側面から入射した光を前記表示パネルに向けて出射する導光板と、当該導光板の側面から当該導光板に光を照射する光源と、当該光源からの熱を外部に放出する放熱板とを有し、
前記光源は、
複数の発光素子と、
前記複数の発光素子を構成する各々の発光素子と電気的に接続され、当該発光素子に対する給電経路を形成する電気導体部と、
前記電気導体部とは電気的に分離して設けられ、前記発光素子で発生する熱の放熱経路を形成する熱導体部と、
前記電気導体部および前記熱導体部のそれぞれ一部を含んで前記発光素子を封止する封止部とを備え、
前記導光板の側面に沿って複数の前記光源が並べて取り付けられ、
前記光源の前記電気導体部は、前記封止部から露出した部位が折り曲げられ、
前記光源の前記熱導体部は、前記封止部から露出した部位が前記導光板に近づく方向に折り曲げられ、
前記放熱板は、前記複数の光源に跨って配置され、当該複数の光源を構成する各々の光源に設けられた前記熱導体部における前記封止部から露出した部位に接触し且つ当該熱導体部の折り曲げ方向に沿って設けられることを特徴とする表示装置。
【請求項７】
前記放熱板は、前記光源の前記封止部と前記熱導体部との間に差し込まれることを特徴とする請求項６記載の表示装置。
【請求項８】
前記複数の光源に跨って配置され、当該複数の光源を構成する各々の光源に設けられた前記電気導体部と電気的に接続される１枚の配線基板をさらに有することを特徴とする請求項６記載の表示装置。
【請求項９】
前記電気導体部が前記導光板から遠ざかる方向に折り曲げられることを特徴とする請求項６乃至８のいずれか１項記載の表示装置。
【発明の詳細な説明】
【技術分野】
【０００１】
本発明は、発光素子を用いた発光装置、表示装置、発光装置の製造方法に関する。
【背景技術】
【０００２】
近年、例えば液晶テレビや液晶モニタに代表される液晶表示装置などの表示装置では、表示パネルの背面や側面などから光を照射するために、光源としてバックライト装置が採用されている。このバックライト装置としては、透明な樹脂製の導光板の二辺または一辺に光源を設置し、導光板に入射させた光を導光板の裏面に設けた反射部によって反射させて液晶パネル面を照射させるいわゆるエッジライト（サイドライト）型が存在する。【０００３】
このようなバックライト装置としては、熱陰極型や冷陰極型などの蛍光管を用いるのが一般的である。その一方で、このような蛍光管を用いたバックライト装置に代わるものとして、近年、発光素子の一種である発光ダイオード（ＬＥＤ：Light Emitting Diode）を光源として使用するバックライト装置の技術開発が進められている。
そして、発光ダイオードを用いたサイドライト型のバックライト装置として、複数の発光ダイオードを基板上に実装してなる光源を、導光板の一側面に配置したものが知られている（例えば、特許文献１参照。）。【０００４】
【特許文献１】特開平６−３５２７号公報
【発明の開示】
【発明が解決しようとする課題】
【０００５】
ところで、ＬＥＤ等の発光素子は発光する際に発熱する。また、ＬＥＤ等の発光素子では、温度変化に伴ってその発光効率が変動することが知られている。このため、光源の温度変動を抑制するための対応策が要請されている。
また、この種の表示装置には薄型化、軽量化といった要求があり、これに伴って光源にはバックライト装置の表示パネルの面に垂直な方向の厚さを低減することが求められている。【０００６】
本発明は、発光素子の温度変動およびこれに伴う光量変動を抑制するとともに、発光素子を備えた発光装置の薄型化を図ることを目的とする。
【課題を解決するための手段】
【０００７】
かかる目的のもと、本発明が適用される発光装置は、複数の発光素子と、複数の発光素子を構成する各々の発光素子と電気的に接続され、発光素子に対する給電経路を形成する電気導体部と、電気導体部とは電気的に分離して設けられ、発光素子で発生する熱の放熱経路を形成する熱導体部と、熱導体部に伝達された熱を外部に放出する放熱板と、発光素子からの発光光を通過させる通過面を有し、電気導体部および熱導体部のそれぞれ一部を含んで発光素子を封止する封止部とを備え、電気導体部は、封止部から露出した部位が折り曲げられ、熱導体部は、封止部から露出した部位が封止部の通過面側に折り曲げられ、放熱板は、熱導体部における封止部から露出した部位に接触し且つ熱導体部の折り曲げ方向に沿って設けられるとともに、封止部の通過面側に突出するように配置され、封止部と対向する側の面に、発光素子からの光を反射する反射面が形成されることを特徴としている。
【０００８】
このような発光装置において、放熱板は、封止部と熱導体部との間に差し込まれることを特徴とすることができる。また、複数の発光素子が一列に並べられ、封止部は、一列に並ぶ複数の発光素子をまとめて封止することを特徴とすることができる。さらに、電気導体部は外部から給電を受ける複数の電極および複数の電極を構成する各々の電極と発光素子とを電気的に接続する接続導体を備え、熱導体部は、発光素子を保持する保持部および保持部に接続され且つ発光素子で発生した熱が保持部を介して伝達される伝達部を備え、電気導体部では電極の一部が封止部から露出し、熱導体部では伝達部の一部が封止部から露出し、放熱板は、封止部から露出する熱導体部における伝達部に接触することを特徴とすることができる。この場合に、封止部の一端部側には電気導体部を構成する電極が並べて配置され、封止部の他端側には熱導体部を構成する伝達部が配置されることを特徴とすることができる。
【０００９】
また、他の観点から捉えると、本発明は、画像表示を行う表示パネルと、表示パネルの背面に設けられ表示パネルの背面側から光を照射するバックライトとを含む表示装置であって、バックライトは、側面から入射した光を表示パネルに向けて出射する導光板と、導光板の側面から導光板に光を照射する光源と、光源からの熱を外部に放出する放熱板とを有し、光源は、複数の発光素子と、複数の発光素子を構成する各々の発光素子と電気的に接続され、発光素子に対する給電経路を形成する電気導体部と、電気導体部とは電気的に分離して設けられ、発光素子で発生する熱の放熱経路を形成する熱導体部と、電気導体部および熱導体部のそれぞれ一部を含んで発光素子を封止する封止部とを備え、導光板の側面に沿って複数の光源が並べて取り付けられ、光源の電気導体部は、封止部から露出した部位が折り曲げられ、光源の熱導体部は、封止部から露出した部位が導光板に近づく方向に折り曲げられ、放熱板は、複数の光源に跨って配置され、複数の光源を構成する各々の光源に設けられた熱導体部における封止部から露出した部位に接触し且つ熱導体部の折り曲げ方向に沿って設けられることを特徴としている。
【００１０】
このような表示装置では、放熱板は、光源の封止部と熱導体部との間に差し込まれることを特徴とすることができる。また、複数の光源に跨って配置され、複数の光源を構成する各々の光源に設けられた電気導体部と電気的に接続される１枚の配線基板をさらに有することを特徴とすることができる。さらに、電気導体部が導光板から遠ざかる方向に折り曲げられることを特徴とすることができる。
【発明の効果】
【００１３】
本発明によれば、発光素子の温度変動およびこれに伴う光量変動を抑制するとともに、発光素子を備えた発光装置の薄型化を図ることができる。
【発明を実施するための最良の形態】
【００１４】
以下、添付図面を参照して、本発明の実施の形態について詳細に説明する。
図１は、本実施の形態が適用される液晶表示装置の全体構成を示す図である。この液晶表示装置は、液晶表示モジュール２０と、この液晶表示モジュール２０の背面側（図１では下部側）に設けられるバックライト装置１０とを備えている。なお、本実施の形態では、所謂サイドライト型のバックライト装置１０が用いられる。【００１５】
バックライト装置１０は、光源装置１１、導光板１２、反射シート１３、拡散シート１４、プリズムシート１５、１６、および輝度向上フィルム１７を備える。
光源装置１１は、導光板１２の一辺（長辺）の側面に対向配置される。本実施の形態において、光源装置１１は、赤（Ｒ）、緑（Ｇ）、および青（Ｂ）の各色の光を出射するＬＥＤを複数配列して構成されている。なお、光源装置１１の構成については、後で詳細に説明する。
導光板１２は、液晶パネル２１に対応した長方形状を有しており、例えば光透過性に優れたアクリル樹脂等で構成される。この導光板１２の液晶表示モジュール２０との対向面には、凹凸あるいは白色インク等にて構成された反射ドット（ともに図示せず）が形成される。
反射シート１３は、導光板１２のドット形成面の反対面側に密着配置されている。この反射シート１３は、白色あるいは金属光沢を有するフィルムで構成される。
拡散シート１４は、導光板１２の反射シート１３とは逆側の面に密着配置されている。この拡散シート１４は、例えば光学フィルムの積層体で構成されたフィルムである。
プリズムシート１５、１６は、拡散シート１４の上部（液晶表示モジュール２０に近い側）に設けられる。このプリズムシート１５、１６は、互いに直交する方向の回折格子フィルムで構成される。
輝度向上フィルム１７は、プリズムシート１６の上部側の面に接触配置され、プリズムシート１６を保護している。この輝度向上フィルム１７は、拡散シート１４と同様に例えば光学フィルムの積層体で構成される。【００１６】
一方、液晶表示モジュール２０は、２枚のガラス基板により液晶が挟まれて構成される表示パネルとしての液晶パネル２１と、この液晶パネル２１の各々のガラス基板に積層され、光波の振動を所定の方向に制限するための偏光板２２、２３とを備えている。更に、この液晶表示モジュール２０には、図示しない駆動用ＬＳＩなどの周辺部材も装着される。【００１７】
液晶パネル２１は、図示しない各種構成要素を含んで構成されている。例えば、２枚のガラス基板に、図示しない表示電極、薄膜トランジスタ（ＴＦＴ：Thin Film Transistor）などのアクティブ素子、液晶、スペーサ、シール剤、配向膜、共通電極、保護膜、カラーフィルタ等が設けられている。
なお、バックライト装置１０の構成単位は任意に選択される。例えば、光源装置１１および導光板１２だけの単位にて「バックライト装置（バックライト）」と呼び、反射シート１３、拡散シート１４、プリズムシート１５、１６、輝度向上フィルム１７などを含まない流通形態もあり得る。【００１８】
では、このバックライト装置１０の動作について説明する。
光源装置１１においてＲＧＢ各色のＬＥＤが点灯すると、各ＬＥＤから出射されたＲＧＢの各色の光が導光板１２の一側面から入射する。すると、導光板１２では、光源装置１１から導光板１２内に導かれた光を、導光板１２を構成する材料（例えばアクリル樹脂）の全反射を用いて導光板１２の全面に導く。導かれた光は反射シート１３にて反射され、導光板１２の表面に出射される。このとき、導光板１２の表面側に設けられた反射ドットに導かれた光はその進路を変え、再び反射シート１３に導かれる。これを繰り返すことにより、導光板１２の表面からは、全面にわたってほぼ均一に光が出射される。この間、ＲＧＢ各色の光は混色され、白色光として出射されることになる。【００１９】
このようにして導光板１２の表面から出射された光は、拡散シート１４にて散乱・拡散され、さらに均一化された状態で出射される。次いで、拡散シート１４から出射された光は、プリズムシート１５、１６にて前方すなわち輝度向上フィルム１７（液晶表示モジュール２０）に向けて集光される。そして、プリズムシート１６から出射された光は、輝度向上フィルム１７によってさらに散乱・拡散された状態で、液晶表示モジュール２０に向けて出射される。したがって、液晶表示モジュール２０には、十分な混色により白色化され、且つ、全面にわたってその強度が均一化され、さらに全面にわたって輝度が向上した光が入射されることになる。【００２０】
図２（ａ）は図１に示すバックライト装置１０で用いられる光源装置１１の斜視図を、図２（ｂ）は光源装置１１を主な構成要素に分解した斜視図を、それぞれ示している。
この光源装置１１は、図示しないＬＥＤ群を備えた発光部３１と、発光部３１のＬＥＤ群に給電を行う配線基板３２と、発光部３１のＬＥＤ群の発光に伴って発生した熱を逃がす放熱板３３とを備える。なお、発光部３１を構成するＬＥＤ群は、後述するように複数の赤色ＬＥＤ、複数の緑色ＬＥＤおよび複数の青色ＬＥＤを含んでいる。【００２１】
これらのうち、発光部３１は、一列に並べられた１０個の発光モジュール４０（具体的には４０ａ〜４０ｊ）を有している。また、配線基板３２は例えば長方形状を有するフレキシブルプリント基板（ＦＰＣ：Flexible Printed Circuits）からなり、発光部３１を構成する１０個の発光モジュール４０ａ〜４０ｊの図中上部側に跨って取り付けられている。一方、放熱板３３は例えば長方形状を有する金属板からなり、発光部３１を構成する１０個の発光モジュール４０ａ〜４０ｊの図中下部側に跨って取り付けられる。【００２２】
図３（ａ）は図２に示す発光部３１を構成する発光モジュール４０の斜視図を、図３（ｂ）は図３（ａ）のIIIＢ−IIIＢ断面図を、それぞれ示している。なお、すべての発光モジュール４０ａ〜４０ｊは同一の構成を有している。また、各発光モジュール４０は、後述するように赤色ＬＥＤ、緑色ＬＥＤおよび青色ＬＥＤをそれぞれ複数個内蔵している。【００２３】
発光装置としての発光モジュール４０は、図３（ｂ）に示す第２赤色ＬＥＤ Ｒ２を含む複数のＬＥＤを封止するとともに配線等を内蔵し、各ＬＥＤから照射される光を所望とする方向に出射するためのレンズ面７０ａを備えたレンズ７０と、第２赤色ＬＥＤ Ｒ２を含む複数の赤色ＬＥＤに給電を行う赤用正リード電極部６１ａおよび赤用負リード電極部６１ｂと、複数の緑色ＬＥＤに給電を行う緑用正リード電極部６２ａおよび緑用負リード電極部６２ｂと、複数の青色ＬＥＤに給電を行う青用正リード電極部６３ａおよび青用負リード電極部６３ｂと、各ＬＥＤで発生した熱を外部に放出するための放熱部５２とを有している。【００２４】
ここで、複数の電極すなわち赤用正リード電極部６１ａ、赤用負リード電極部６１ｂ、緑用正リード電極部６２ａ、緑用負リード電極部６２ｂ、青用正リード電極部６３ａおよび青用負リード電極部６３ｂは、レンズ７０の図中上部側に露出した状態で、レンズ７０の長手方向に沿って並べて設けられている。そして、各電極の配列は、図中左側から順に、緑用正リード電極部６２ａ、赤用正リード電極部６１ａ、青用正リード電極部６３ａ、赤用負リード電極部６１ｂ、緑用負リード電極部６２ｂ、青用負リード電極部６３ｂとなっている。そして、これら赤用正リード電極部６１ａ、赤用負リード電極部６１ｂ、緑用正リード電極部６２ａ、緑用負リード電極部６２ｂ、青用正リード電極部６３ａおよび青用負リード電極部６３ｂは、レンズ７０内に内蔵された複数の赤色ＬＥＤ、複数の緑色ＬＥＤおよび複数の青色ＬＥＤと、それぞれ直列接続されている。【００２５】
一方、放熱部５２は、長方形状を有しており、レンズ７０の図中下部側に露出した状態で設けられている。この放熱部５２には、レンズ７０の長手方向に沿って３つの穿孔５２ｃが形成されている。そして、放熱部５２は、レンズ７０に内蔵された複数の赤色ＬＥＤ、複数の緑色ＬＥＤおよび複数の青色ＬＥＤと熱的に接続されている。【００２６】
ここで、赤用正リード電極部６１ａ、赤用負リード電極部６１ｂ、緑用正リード電極部６２ａ、緑用負リード電極部６２ｂ、青用正リード電極部６３ａ、青用負リード電極部６３ｂおよび放熱部５２は、同一の厚さ（例えば０．１５ｍｍ）の金属板（例えば銅板）で構成されている。また、レンズ７０内において、赤用正リード電極部６１ａ、赤用負リード電極部６１ｂ、緑用正リード電極部６２ａ、緑用負リード電極部６２ｂ、青用正リード電極部６３ａ、青用負リード電極部６３ｂおよび放熱部５２は、同一面上に形成されている。【００２７】
封止部として機能するレンズ７０は砲弾形状の断面を有しており、通過面として機能するレンズ面７０ａは非球面状となっている。そして、レンズ７０は、例えばシリコーン樹脂など可視領域において透明な樹脂材料で構成される。さらに、レンズ７０は、第２赤色ＬＥＤ Ｒ２を含む複数のＬＥＤを内蔵するとともに、赤用正リード電極部６１ａ、赤用負リード電極部６１ｂ、緑用正リード電極部６２ａ、緑用負リード電極部６２ｂ、青用正リード電極部６３ａ、青用負リード電極部６３ｂの一端部側および放熱部５２の一端部側も内蔵している。【００２８】
ここで、赤用正リード電極部６１ａ、赤用負リード電極部６１ｂ、緑用正リード電極部６２ａ、緑用負リード電極部６２ｂ、青用正リード電極部６３ａおよび青用負リード電極部６３ｂは、レンズ７０のレンズ面７０ａとは反対側に折り曲げられており、さらに各電極の端部がレンズ７０の背面側に折り曲げられている。一方、放熱部５２は、レンズ７０のレンズ面７０ａ側に折り曲げられており、その自由端はレンズ面７０ａよりも突出している。つまり、赤用正リード電極部６１ａ、赤用負リード電極部６１ｂ、緑用正リード電極部６２ａ、緑用負リード電極部６２ｂ、青用正リード電極部６３ａおよび青用負リード電極部６３ｂと放熱部５２とでは、折り曲げ方向が逆向きとなっている。【００２９】
なお、図２に示した配線基板３２は、図３（ｂ）に破線で示したように、各発光モジュール４０に設けられたこれら赤用正リード電極部６１ａ、赤用負リード電極部６１ｂ、緑用正リード電極部６２ａ、緑用負リード電極部６２ｂ、青用正リード電極部６３ａおよび青用負リード電極部６３ｂに、はんだによって取り付けられる。一方、図２に示した放熱板３３は、図３（ｂ）に示したように、各発光モジュール４０に設けられた放熱部５２の上に載せられる。ここで、配線基板３２および放熱板３３は、ともに、レンズ７０のレンズ面７０ａ側に突出するように配置される。そして、配線基板３２のうちレンズ７０と対向する側の面には白色レジスト層３２ａが形成され、放熱板３３のうちレンズ７０と対向する側の面には白色レジスト層３３ａが形成される。これら白色レジスト層３２ａ、３３ａは、各ＬＥＤからレンズ７０のレンズ面７０ａを介して、図３（ｂ）において上部側あるいは下部側に向けて出射された光を、図３（ｂ）において右側すなわち図１に示す導光板１２に向けて反射するリフレクタとして機能している。【００３０】
図４は、発光モジュール４０の内部構成を説明するための展開図を示している。なお、図４は、赤用正リード電極部６１ａ、赤用負リード電極部６１ｂ、緑用正リード電極部６２ａ、緑用負リード電極部６２ｂ、青用正リード電極部６３ａ、青用負リード電極部６３ｂおよび放熱部５２を折り曲げる前の発光モジュール４０の上面図に対応している。【００３１】
発光モジュール４０は、放熱部５２を含む熱導体部５０と、赤用正リード電極部６１ａ、赤用負リード電極部６１ｂ、緑用正リード電極部６２ａ、緑用負リード電極部６２ｂ、青用正リード電極部６３ａおよび青用負リード電極部６３ｂを含む電気導体部６０と、レンズ７０とを備える。また、発光モジュール４０は、発光素子として機能する複数（８個）のＬＥＤ、具体的には、第１赤色ＬＥＤ Ｒ１、第２赤色ＬＥＤ Ｒ２、第１緑色ＬＥＤＧ１、第２緑色ＬＥＤ Ｇ２、第３緑色ＬＥＤ Ｇ３、第４緑色ＬＥＤ Ｇ４、第１青色ＬＥＤ Ｂ１および第２青色ＬＥＤ Ｂ２をさらに備える。ここで、第１赤色ＬＥＤ Ｒ１および第２赤色ＬＥＤ Ｒ２は赤色発光素子として、第１緑色ＬＥＤ Ｇ１、第２緑色ＬＥＤＧ２、第３緑色ＬＥＤ Ｇ３および第４緑色ＬＥＤ Ｇ４は緑色発光素子として、第１青色ＬＥＤ Ｂ１および第２青色ＬＥＤ Ｂ２は青色発光素子として、それぞれ機能している。【００３２】
熱導体部５０は、レンズ７０の短手方向中央部においてレンズ７０の長手方向に沿って伸びる保持部５１を有しており、この保持部５１の長手方向両端には、放熱部５２に接続するための第１接続部５３および第２接続部５４が設けられている。これにより、保持部５１、放熱部５２、第１接続部５３および第２接続部５４の間には、所定の空間が形成される。なお、これら保持部５１、放熱部５２、第１接続部５３および第２接続部５４は、一枚の金属板にて一体に形成されている。【００３３】
また、保持部５１には、図中左から順に、第１緑色ＬＥＤ Ｇ１、第１赤色ＬＥＤ Ｒ１、第２緑色ＬＥＤ Ｇ２、第１青色ＬＥＤ Ｂ１、第３緑色ＬＥＤ Ｇ３、第２赤色ＬＥＤ Ｒ２、第４緑色ＬＥＤ Ｇ４、第２青色ＬＥＤ Ｂ２が取り付けられ、保持されている。つまり、この例では、緑色ＬＥＤが１個おきに配置され、その間に赤色ＬＥＤあるいは青色ＬＥＤが３個おきに配置される。ここで、隣接するＬＥＤ同士の間隔は同一に設定されている。また、本実施の形態では、例えば二つの発光モジュール４０を一列に並べて配置した際に、一方の発光モジュール４０の一端部（図中右側）に設けられた第２青色ＬＥＤ Ｂ２と、他方の発光モジュール４０の他端部側（図中左側）に設けられた第１緑色ＬＥＤＧ１との間隔が、同一の発光モジュール４０内において隣接するＬＥＤ同士の間隔と等しくなるように、予めレンズ７０の寸法が設定されている。なお、各ＬＥＤは、保持部５１に対し電気的に絶縁された状態で取り付けられる。そして、熱導体部５０には、各ＬＥＤが実装される保持部５１から第１接続部５３および第２接続部５４を介して放熱部５２に向かう放熱経路が形成される。【００３４】
また、保持部５１には、第２緑色ＬＥＤ Ｇ２の取り付け部位から放熱部５２とは逆側に向かって伸びる第１突出部５１ａと、第３緑色ＬＥＤ Ｇ３の取り付け部位から放熱部５２とは逆側に向かって伸びる第２突出部５１ｂとが設けられている。これら第１突出部５１ａおよび第２突出部５１ｂは、レンズ７０の短手方向の一端部まで伸びている。【００３５】
一方、伝達部として機能する放熱部５２には、上記保持部５１、放熱部５２、第１接続部５３および第２接続部５４とによって形成される空間において保持部５１に向かって伸びる第３突出部５２ａおよび第４突出部５２ｂが形成されている。これら第３突出部５２ａおよび第４突出部５２ｂは、レンズ７０の内部まで伸びている。【００３６】
一方、電気導体部６０は、赤用正リード電極部６１ａや赤用負リード電極部６１ｂに加え赤用接続導体６１ｃをさらに含む赤用電気導体部６１と、緑用正リード電極部６２ａや緑用負リード電極部６２ｂに加え第１緑用接続導体６２ｃ、第２緑用接続導体６２ｄおよび第３緑用接続導体６２ｅをさらに含む緑用電気導体部６２と、青用正リード電極部６３ａや青用負リード電極部６３ｂに加え青用接続導体６３ｃをさらに含む青用電気導体部６３とを有している。ここで、赤用正リード電極部６１ａ、赤用負リード電極部６１ｂ、緑用正リード電極部６２ａ、緑用負リード電極部６２ｂ、青用正リード電極部６３ａ、青用負リード電極部６３ｂは、それぞれ十字状の形状を有しており、それぞれにおいて幅広となっている部位がレンズ７０との境界部に跨るように配置されている。【００３７】
赤用電気導体部６１を構成する赤用接続導体６１ｃは、保持部５１、放熱部５２、第１接続部５３および第２接続部５４によって形成される空間内に配置されている。そして、赤用接続導体６１ｃは、第１赤色ＬＥＤ Ｒ１の近傍および第２赤色ＬＥＤ Ｒ２の近傍を通過するように設けられる。【００３８】
緑用電気導体部６２を構成する第１緑用接続導体６２ｃは、レンズ７０内において赤用正リード電極部６１ａを取り囲むように配置されている。そして、第１緑用接続導体６２ｃは、第１緑色ＬＥＤ Ｇ１の近傍および第２緑色ＬＥＤ Ｇ２の近傍を通過するように設けられる。また、緑用電気導体部６２を構成する第２緑用接続導体６２ｄは、レンズ７０内において青用正リード電極部６３ａを取り囲むように配置されている。そして、第２緑用接続導体６２ｄは、第２緑色ＬＥＤ Ｇ２の近傍および第３緑色ＬＥＤ Ｇ３の近傍を通過するように設けられる。さらに、緑用電気導体部６２を構成する第３緑用接続導体６２ｅは、レンズ７０内において赤用負リード電極部６１ｂを取り囲むように配置されている。そして、第３緑用接続導体６２ｅは、第３緑色ＬＥＤ Ｇ３の近傍および第４緑色ＬＥＤ Ｇ４の近傍を通過するように配置される。【００３９】
青用電気導体部６３を構成する青用接続導体６３ｃは、赤用接続導体６１ｃと同様に、保持部５１、放熱部５２、第１接続部５３および第２接続部５４によって形成される空間内に配置されている。そして、青用接続導体６３ｃは、第１青色ＬＥＤ Ｂ１の近傍および第２青色ＬＥＤ Ｂ２の近傍を通過するように設けられる。【００４０】
ここで、赤用正リード電極部６１ａおよび第１赤色ＬＥＤ Ｒ１のアノード端子、第１赤色ＬＥＤ Ｒ１のカソード端子および赤用接続導体６１ｃ、赤用接続導体６１ｃおよび第２赤色ＬＥＤ Ｒ２のアノード端子、第２赤色ＬＥＤ Ｒ２のカソード端子および赤用負リード電極部６１ｂは、それぞれ、ボンディングワイヤを用いて電気的に接続されている。これにより、ボンディングワイヤを介して赤用正リード電極部６１ａから赤用負リード電極部６１ｂに向かう赤用給電経路すなわち赤用電気導体部６１が形成される。【００４１】
また、緑用正リード電極部６２ａおよび第１緑色ＬＥＤ Ｇ１のアノード端子、第１緑色ＬＥＤ Ｇ１のカソード端子および第１緑用接続導体６２ｃ、第１緑用接続導体６２ｃおよび第２緑色ＬＥＤ Ｇ２のアノード端子、第２緑色ＬＥＤ Ｇ２のカソード端子および第２緑用接続導体６２ｄ、第２緑用接続導体６２ｄおよび第３緑色ＬＥＤ Ｇ３のアノード端子、第３緑色ＬＥＤ Ｇ３のカソード端子および第３緑用接続導体６２ｅ、第３緑用接続導体６２ｅおよび第４緑色ＬＥＤ Ｇ４のアノード端子、第４緑色ＬＥＤ Ｇ４のカソード端子および緑用負リード電極部６２ｂも、それぞれ、ボンディングワイヤを用いて電気的に接続されている。これにより、ボンディングワイヤを介して緑用正リード電極部６２ａから緑用負リード電極部６２ｂに向かう緑用給電経路すなわち緑用電気導体部６２が形成される。【００４２】
さらに、青用正リード電極部６３ａおよび第１青色ＬＥＤ Ｂ１のアノード端子、第１青色ＬＥＤ Ｂ１のカソード端子および青用接続導体６３ｃ、青用接続導体６３ｃおよび第２青色ＬＥＤ Ｂ２のアノード端子、第２青色ＬＥＤ Ｂ２のカソード端子および青用負リード電極部６３ｂも、それぞれ、ボンディングワイヤを用いて電気的に接続されている。これにより、ボンディングワイヤを介して青用正リード電極部６３ａから青用負リード電極部６３ｂに向かう青用給電経路すなわち青用電気導体部６３が形成される。【００４３】
なお、この例では、赤用接続導体６１ｃ、第１緑用接続導体６２ｃ、第２緑用接続導体６２ｄ、第３緑用接続導体６２ｅ、青用接続導体６３ｃおよび各ボンディングワイヤが、接続導体として機能している。【００４４】
そして、電気導体部６０を構成する赤用電気導体部６１、緑用電気導体部６２および青用電気導体部６３の各構成部材は、すべて、熱導体部５０の各構成部材に対し所定の間隙をおいて配置される。本実施の形態において、この間隙にはレンズ７０を構成する絶縁性の透明樹脂が充填されることから、熱導体部５０および電気導体部６０は、電気的に絶縁されることになる。また、赤用の給電経路、緑用の給電経路および青用の給電経路も、それぞれ所定の間隙をおいて配置される。この間隙にはやはりレンズ７０を構成する絶縁性の透明樹脂が充填されることから、各色用の給電経路間も、電気的に絶縁されることになる。なお、図４に示す例では、赤用接続導体６１ｃ、第１緑用接続導体６２ｃ、第２緑用接続導体６２ｄおよび第３緑用接続導体６２ｅに対し、他色用のボンディングワイヤが跨って配置されているが、これらのボンディングワイヤは、跨いでいる導体と接触しないように取り付けられている。【００４５】
図５は、発光モジュール４０における電気および熱の流れを説明するための図である。なお、この説明において、赤用電気導体部６１には赤用駆動電流ＩＲが、緑用電気導体部６２には緑用駆動電流ＩＧが、青用電気導体部６３には青用駆動電流ＩＢが、それぞれ供給されているものとする。なお、図５では、ボンディングワイヤの記載を省略している。また、図５においては、電気の流れ（電流）を実線矢印で、熱の流れを一点鎖線矢印で、それぞれ示している。【００４６】
赤用駆動電流ＩＲは、赤用正リード電極部６１ａ、第１赤色ＬＥＤ Ｒ１、赤用接続導
体６１ｃ、第２赤色ＬＥＤ Ｒ２および赤用負リード電極部６１ｂを流れる。これにより
、第１赤色ＬＥＤ Ｒ１および第２赤色ＬＥＤ Ｒ２が赤色に発光する。また、緑用駆動電流ＩＧは、緑用正リード電極部６２ａ、第１緑色ＬＥＤ Ｇ１、第１緑用接続導体６２ｃ、第２緑色ＬＥＤ Ｇ２、第２緑用接続導体６２ｄ、第３緑色ＬＥＤ Ｇ３、第３緑用接続導体６２ｅ、第４緑色ＬＥＤ Ｇ４および緑用負リード電極部６２ｂを流れる。これにより、第１緑色ＬＥＤ Ｇ１、第２緑色ＬＥＤ Ｇ２、第３緑色ＬＥＤ Ｇ３および第４緑色ＬＥＤ Ｇ４が緑色に発光する。さらに、青用駆動電流ＩＢは、青用正リード電極部６３ａ、第１青色ＬＥＤ Ｂ１、青用接続導体６３ｃ、第２青色ＬＥＤ Ｂ２および青用負リード電極部６３ｂを流れる。これにより、第１青色ＬＥＤ Ｂ１および第２青色ＬＥＤ Ｂ２が青色に発光する。なお、ＲＧＢ各色のＬＥＤの発光は、レンズ７０を介して外部（図中手前側）に出射される。【００４７】
また、第１赤色ＬＥＤ Ｒ１、第２赤色ＬＥＤ Ｒ２、第１緑色ＬＥＤ Ｇ１、第２緑色ＬＥＤ Ｇ２、第３緑色ＬＥＤ Ｇ３、第４緑色ＬＥＤ Ｇ４、第１青色ＬＥＤ Ｂ１および第２青色ＬＥＤ Ｂ２が発光するのに伴って、各ＬＥＤは発熱する。このとき、各ＬＥＤで発生した熱は、保持部５１から第１接続部５３および第２接続部５４を介して放熱部５２に伝達される。ここで、放熱部５２は、図３に示したように外部に露出しており、また、放熱部５２には金属製の放熱板３３が接触配置されることから、伝達された熱は放熱部５２および放熱板３３を介して空気中に放出される。【００４８】
本実施の形態では、このような構成を採用することにより、レンズ７０に設けられた各色ＬＥＤで発生した熱が発光モジュール４０内に留まりにくくなり、各色ＬＥＤの温度上昇度合いが鈍化する。一般に、ＬＥＤは温度が高くなると発光効率が低下しやすく、その結果発光光量の低下を招きやすい。また、ＬＥＤは色毎に温度上昇の影響が異なるため、一般的な環境下でバランスしていたＲＧＢ各色の光量比が高温環境下でずれ、その結果、色むらが生じてしまうおそれもある。したがって、このような構成を採用することにより、各色ＬＥＤの温度変化に伴う種々の不具合の発生が抑制されることになる。【００４９】
また、本実施の形態では、赤用正リード電極部６１ａ、赤用負リード電極部６１ｂ、緑用正リード電極部６２ａ、緑用負リード電極部６２ｂ、青用正リード電極部６３ａ、青用負リード電極部６３ｂおよび放熱部５２に折り曲げを施すことにより、発光モジュール４０の光の出射方向に直交する方向の厚みの増大が抑制される。これにより、発光モジュール４０を用いて製造される光源装置１１、さらにはバックライト装置１０および液晶表示装置の厚みが薄くなる。ここで、放熱部５２はレンズ７０のレンズ面７０ａ側に折り曲げられていることから、放熱部５２と導光板１２等とを重ねることが可能となり、発光モジュール４０を用いて製造されるバックライト装置１０および液晶表示装置の面積の増大が抑制されることになる。また、赤用正リード電極部６１ａ、赤用負リード電極部６１ｂ、緑用正リード電極部６２ａ、緑用負リード電極部６２ｂ、青用正リード電極部６３ａおよび青用負リード電極部６３ｂが折り曲げられることにより、配線基板３２の取り付けが容易になる。【００５０】
そして、この例では、発光モジュール４０において各ＬＥＤを一列に並べ、この発光モジュール４０を複数並べて光源装置１１を構成しているため、この点からも発光モジュール４０の光の出射方向に直交する方向の厚みの増大が抑制されることになる。また、この例では、複数の発光モジュール４０を用いて光源装置１１を構成することにより、より多くのＬＥＤを備えた１個の発光モジュール４０を用いて光源装置１１を構成する場合と比較して、光源装置１１の歩留まりが向上する。さらに、この例では、複数の発光モジュール４０に対し１枚の配線基板３２を取り付けて給電を行っているため、各発光モジュール４０に対し個別に配線基板３２を取り付ける場合と比較して構成が簡易化され、製造にかかるコストも削減される。【００５１】
では次に、上述した発光モジュール４０の製造方法について説明する。
図６は、発光モジュール４０の製造プロセスを説明するためのフローチャートを示している。
まずはじめに、所定のパターニングを施すことによって熱導体部５０と電気導体部６０とを一体化したリードフレームを用意し、このリードフレームに各色ＬＥＤを実装する（ステップ１０１）。次に、各色ＬＥＤの実装がなされたリードフレームにレンズ７０を形成する（ステップ１０２）。続いて、レンズ７０の形成がなされたリードフレームの特定箇所を切断する（ステップ１０３）。そして、特定箇所の切断がなされたリードフレームに対して折り曲げ加工を施す（ステップ１０４）。以上により、発光モジュール４０が得られる。【００５２】
図７は、発光モジュール４０の製造において出発材料となるリードフレーム８０の上面図を示している。なお、リードフレーム８０は、銅などからなる一枚の金属板を所望とするパターンに打ち抜くことで得られる。【００５３】
このリードフレーム８０は、上述した熱導体部５０および電気導体部６０の各構成要素に加え、赤用接続導体６１ｃおよび青用接続導体６３ｃを除く電気導体部６０の構成要素、すなわち、緑用正リード電極部６２ａ、第１緑用接続導体６２ｃ、赤用正リード電極部６１ａ、第２緑用接続導体６２ｄ、青用正リード電極部６３ａ、第３緑用接続導体６２ｅ、赤用負リード電極部６１ｂ、緑用負リード電極部６２ｂおよび青用負リード電極部６３ｂを具備した基部８１を有している。なお、基部８１には、これらの他、熱導体部５０を構成する保持部５１に設けられた第１突出部５１ａおよび第２突出部５１ｂも取り付けられている。
一方、このリードフレーム８０において、熱導体部５０を構成する放熱部５２には、電気導体部６０を構成する上記赤用接続導体６１ｃおよび青用接続導体６３ｃが具備される。【００５４】
リードフレーム８０では、このように、放熱部５２および基部８１が、第１接続部５３、第２接続部５４および保持部５１（第１突出部５１ａ、第２突出部５１ｂ）を介して一体化している。したがって、リードフレーム８０では、熱導体部５０の各構成要素と電気導体部６０の各構成要素とが一体化され、ばらけないようになっている。なお、この例では、後述するように、基部８１の全部と、熱導体部５０における第１突出部５１ａおよび第２突出部５１ｂの各一部と、電気導体部６０における赤用接続導体６１ｃ、第１緑用接続導体６２ｃ、第２緑用接続導体６２ｄ、第３緑用接続導体６２ｅおよび青用接続導体６３ｃの各一部とが、渡り部として機能している。したがって、これら各構成部材の全部または一部は、ステップ１０３の切断工程において切断される。【００５５】
また、リードフレーム８０の基部８１は長方形状を有しており、保持部５１を挟んで放熱部５２と対向するように設けられる。また、基部８１には、保持部５１と同様、長手方向に沿って３つの穿孔８１ａが形成されていてもよい。なお、基部８１および放熱部５２は、それぞれに形成される穿孔８１ａや穿孔５２ｃとともに、各製造工程あるいは各製造工程間におけるリードフレーム８０の搬送や位置決めに利用することができる。【００５６】
図８は上記ステップ１０１において各ＬＥＤの実装がなされたリードフレーム８０の上面図を示している。なお、実装工程では、図示しないダイボンディング装置にリードフレーム８０がセットされ、リードフレーム８０の保持部５１に対する各ＬＥＤの取り付け（ダイボンディング）が行われる。次いで、さらに図示しないワイヤボンディング装置にダイボンディングがなされたリードフレーム８０がセットされ、リードフレーム８０の各電極や各接続導体と各ＬＥＤとのボンディングワイヤによる接続（ワイヤボンディング）が行われる。【００５７】
図９は上記ステップ１０２においてレンズ７０の形成がなされたリードフレーム８０の上面図を示しており、図１０は図９のX−X断面図を示している。なお、レンズ７０を形成する封止工程では、各ＬＥＤを実装したリードフレーム８０が図示しないモールド装置の型枠にセットされ、型枠内に溶融した樹脂材料が注入された後に硬化され、その後、レンズ形成済みのリードフレーム８０が型枠から取り外される。【００５８】
ここで、レンズ７０は、放熱部５２および基部８１との間に所定の間隔をあけた状態で形成される。また、レンズ７０は、各ＬＥＤを封止するとともに、上述したように基部８１側において赤用正リード電極部６１ａ、赤用負リード電極部６１ｂ、緑用正リード電極部６２ａ、緑用負リード電極部６２ｂ、青用正リード電極部６３ａ、青用負リード電極部６３ｂのうち幅広となっている部位を跨ぐように形成される。一方、レンズ７０は、上述したように放熱部５２側において第３突出部５２ａおよび第４突出部５２ｂを跨ぐように形成される。さらに、レンズ７０の長手方向両端部は、放熱部５２および基部８１の長手方向両端部に対応する位置まで形成される。さらにまた、レンズ７０は、リードフレーム８０の一方の面と他方の面とを跨ぐように形成される。なお、これらのうち、一方の面すなわち各ＬＥＤの実装面側にレンズ面７０ａが形成される。これにより、例えば熱導体部５０を構成する保持部５１は、その全体がレンズ７０で覆われた状態で保持される。また、熱導体部５０を構成する第１突出部５１ａ、第２突出部５１ｂ、第３突出部５２ａ、第４突出部５２ｂ、第１接続部５３および第２接続部５４は、それぞれ基部８１側あるいは放熱部５２側の端部を除き、レンズ７０で覆われた状態で保持される。一方、電気導体部６０において、赤用電気導体部６１を構成する赤用正リード電極部６１ａ、赤用負リード電極部６１ｂおよび赤用接続導体６１ｃ、緑用電気導体部６２を構成する緑用正リード電極部６２ａ、緑用負リード電極部６２ｂ、第１緑用接続導体６２ｃ、第２緑用接続導体６２ｄおよび第３緑用接続導体６２ｅ、青用電気導体部６３を構成する青用正リード電極部６３ａ、青用負リード電極部６３ｂおよび青用接続導体６３ｃは、それぞれ基部８１側あるいは放熱部５２側の端部を除き、レンズ７０で覆われた状態で保持される。【００５９】
図１１は上記ステップ１０３において特定箇所の切断がなされたリードフレーム８０の上面図を示している。なお、切断工程では、リードフレーム８０が図示しない導体打ち抜き装置にセットされ、所定の抜き型および抜き刃（ともに図示せず）を用いてリードフレーム８０の特定箇所の打ち抜きが行われる。【００６０】
切断工程では、リードフレーム８０のうち図１１に一点鎖線で示す部位が切断される。具体的に説明すると、切断工程では、リードフレーム８０の基部８１と、基部８１に接続される第１緑用接続導体６２ｃ、第２緑用接続導体６２ｄ、第３緑用接続導体６２ｅ、第１突出部５１ａおよび第２突出部５１ｂのうちレンズ７０で覆われていない部位とが除去される。また、切断工程では、放熱部５２に接続される赤用接続導体６１ｃおよび青用接続導体６３ｃのうちレンズ７０で覆われていない部位も除去される。【００６１】
したがって、切断工程を経たリードフレーム８０では、熱導体部５０と電気導体部６０とに完全に分離されることになる。このとき、熱導体部５０では、保持部５１と放熱部５２とが第１接続部５３および第２接続部５４を介して接続されることにより、放熱経路が形成される。また、熱導体部５０の保持部５１、放熱部５２、第１接続部５３および第２接続部５４によって囲まれた空間のうち、レンズ７０の内部となる領域には、赤用接続導体６１ｃおよび青用接続導体６３ｃが、それぞれ独立して形成されることになる。さらに、赤用正リード電極部６１ａ、赤用負リード電極部６１ｂ、緑用正リード電極部６２ａ、緑用負リード電極部６２ｂ、青用正リード電極部６３ａおよび青用負リード電極部６３ｂも、一方がレンズ７０内に内蔵され且つ他方が外部に露出された状態で、それぞれ独立して形成されることになる。さらにまた、第１緑用接続導体６２ｃ、第２緑用接続導体６２ｄおよび第３緑用接続導体６２ｅは、レンズ７０に内蔵された状態で、それぞれ独立して形成されることになる。【００６２】
そして、レンズ７０の内部では、赤用電気導体部６１の各構成部材と各赤色ＬＥＤとがボンディングワイヤにて接続済みであることから、赤用の給電経路が形成されることになる。また、レンズ７０の内部では、緑用電気導体部６２の各構成部材と各緑色ＬＥＤとがボンディングワイヤにて接続済みであることから、緑用の給電経路も形成されることになる。さらに、レンズ７０の内部では、青用電気導体部６３の各構成部材と各青色ＬＥＤとがボンディングワイヤにより接続済みであることから、青用の給電経路も形成されることになる。【００６３】
図１２は、上記ステップ１０４において折り曲げ加工がなされたリードフレーム８０すなわち完成した発光モジュール４０の断面図を示している。ここで、図１２は図１１のXII−XII断面に対応している。なお、折り曲げ工程では、リードフレーム８０が図示しない折り曲げ装置にセットされ、リードフレーム８０の折り曲げが行われる。【００６４】
折り曲げ工程において、リードフレーム８０は、レンズ７０の長手方向両端部に沿ってそれぞれ折り曲げられる。まず、熱導体部５０では、放熱部５２の第３突出部５２ａおよび第４突出部５２ｂと、第１接続部５３および第２接続部５４とが、レンズ７０のレンズ面７０ａ側に折り曲げられる。その結果、放熱部５２がレンズ７０のレンズ面７０ａ側に位置することになる。ここで、本実施の形態では、放熱部５２に予め第３突出部５２ａおよび第４突出部５２ｂを設けておくことにより、折り曲げ加工の際に第１接続部５３や第２接続部５４に過大な力がかからないようにするとともに、折り曲げ後の放熱部５２のレンズ７０による支持をより容易なものとしている。【００６５】
一方、電気導体部６０では、赤用正リード電極部６１ａ、赤用負リード電極部６１ｂ、緑用正リード電極部６２ａ、緑用負リード電極部６２ｂ、青用正リード電極部６３ａおよび青用負リード電極部６３ｂのレンズ７０による被保持部側端部が、まずレンズ７０のレンズ面７０ａとは反対側に折り曲げられ、次いで、各電極の自由端部がレンズ７０の背面側に折り曲げられる。ここで、最初に折り曲げられる被保持部側端部は、例えば図１１に示したように他の部位と比べて幅広となっている。このため、折り曲げられる部位にかかる力が分散されることになり、折り曲げにおいて各電極が切断されにくくなっている。【００６６】
なお、折り曲げ加工においては、加工精度上の要請から、例えばレンズ７０と折り曲げ後の放熱部５２とを密着させることは困難である。したがって、折り曲げ加工後のレンズ７０と放熱部５２との間には若干の隙間が生じる。本実施の形態では、折り曲げ加工によってこのような隙間が形成されることを予め想定しており、このレンズ７０と放熱部５２との隙間に、図２に示す放熱板３３を差し込むようにしている（図３（ｂ）参照）。
【図面の簡単な説明】
【００６７】
【図１】本実施の形態が適用される液晶表示装置の全体構成を示す図である。
【図２】（ａ）は光源装置の構成を示す斜視図であり、（ｂ）は光源装置を主な構成要素に分解した斜視図である。
【図３】（ａ）は発光モジュールの構成を示す斜視図であり、（ｂ）は（ａ）のIIIＢ−IIIＢ断面図である。
【図４】発光モジュールの内部構成を説明するための展開図である。
【図５】発光モジュールにおける電気および熱の流れを説明するための図である。
【図６】発光モジュールの製造プロセスを説明するためのフローチャートである。
【図７】発光モジュールの出発材料となるリードフレームの上面図である。
【図８】各ＬＥＤの実装がなされたリードフレームの上面図である。
【図９】レンズの形成がなされたリードフレームの上面図である。
【図１０】図９のX−X断面図である。
【図１１】特定箇所の切断がなされたリードフレームの上面図である。
【図１２】折り曲げ加工がなされたリードフレームすなわち発光モジュールの断面図である。
【符号の説明】
【００６８】
１０…バックライト装置、１１…光源装置、１２…導光板、２０…液晶表示モジュール、３１…発光部、３２…配線基板、３３…放熱板、４０（４０ａ〜４０ｊ）…発光モジュール、５０…熱導体部、５１…保持部、５２…放熱部、５３…第１接続部、５４…第２接続部、６０…電気導体部、６１…赤用電気導体部、６２…緑用電気導体部、６３…青用電気導体部、７０…レンズ、８０…リードフレーム、８１…基部、Ｒ１…第１赤色ＬＥＤ、Ｒ２…第２赤色ＬＥＤ、Ｇ１…第１緑色ＬＥＤ、Ｇ２…第２緑色ＬＥＤ、Ｇ３…第３緑色ＬＥＤ、Ｇ４…第４緑色ＬＥＤ、Ｂ１…第１青色ＬＥＤ、Ｂ２…第２青色ＬＥＤ
【図１】
0005437071.tif 000002
【図２】
0005437071.tif 000003
【図３】
0005437071.tif 000004
【図４】
0005437071.tif 000005
【図５】
0005437071.tif 000006
【図６】
0005437071.tif 000007
【図７】
0005437071.tif 000008
【図８】
0005437071.tif 000009
【図９】
0005437071.tif 000010
【図１０】
0005437071.tif 000011
【図１１】
0005437071.tif 000012
【図１２】
0005437071.tif 000013